(57)【要約】【課題】つなぎ撮り前後での高速再生画像の乱れを防止する。【解決手段】サーチ用画像データをサーチ時の走査軌跡に応じた位置に配置してＭＰＥＧデータを記録する装置で、つなぎ撮りの前後でサーチ用画像データの記録位置が連続するようサーチ用画像データの多重タイミングを制御する。【選択図】      図１
2004241988.tif 000002
【特許請求の範囲】
【請求項１】
フレーム内符号化とフレーム間符号化とを用いて符号化された通常再生用の動画像データと高速再生用の画像データとが多重された動画像データ列が記録されている多数のトラックが形成されたテープ状記録媒体に対し、新たに前記動画像データ列を記録する装置であって、
前記通常再生用の動画像データを生成する通常データ生成手段と、
前記高速再生用の画像データを生成する高速再生データ生成手段と、
前記高速再生用の画像データがトラック毎に決められた所定の位置に記録されるよう、前記通常データ生成手段により生成された通常再生用の動画像データと前記高速再生データ生成手段により生成された特殊再生用の画像データとを多重して前記動画像データ列を生成する多重手段と、
前記多重手段より出力された動画像データ列を前記テープ状記録媒体上に記録する記録手段と、
前記新たな動画像データ列の記録開始位置の直前に記録されている前記高速再生用画像データの記録位置に応じた位置に前記新たな動画像データ列における高速再生用の画像データが記録されるよう前記多重手段を制御する制御手段とを備える記録装置。
【請求項２】
前記高速再生用画像データは、前記高速再生時において再生ヘッドが前記テープ状記録媒体を走査する走査位置に応じた位置に記録されることを特徴とする請求項１記載の記録装置。
【請求項３】
前記高速再生データ生成手段は、異なる複数の再生速度に応じた前記高速再生用画像データを生成することを特徴とする請求項１記載の記録装置。
【請求項４】
前記高速再生データ生成手段は前記通常再生用動画像データのうち、前記フレーム内符号化により符号化されたフレームの画像データのみを用いて前記高速再生用画像データを生成することを特徴とする請求項１記載の記録装置。
【請求項５】
前記制御手段は、前記テープ状記録媒体における前記記録開始位置の直前のトラックの番号を示すトラック番号情報と前記トラック内における前記高速再生用画像データの記録位置を示す記録位置情報とに基づいて前記多重手段を制御することを特徴とする請求項１記載の記録装置。
【請求項６】
前記制御手段は、前記動画像データ列が記録されるトラックのトラック番号情報に基づいて前記高速再生用画像データを記録する記録トラックと前記トラックにおける前記高速再生用画像データの記録位置を決定し、前記記録トラックを示す記録トラック情報と前記記録位置を示す記録位置情報とを記憶する記憶手段を有することを特徴とする請求項５記載の記録装置。
【請求項７】
前記制御手段は、前記テープ状記録媒体から再生した動画像データ列中から、前記記録開始位置の直前のトラック番号情報と前記トラックにおける前記高速再生用画像データの記録位置情報とを検出し、前記検出したトラック番号情報と記録位置情報とに基づいて前記多重手段を制御することを特徴とする請求項５記載の記録装置。
【請求項８】
前記動画像データ列は複数の同期ブロックから構成され、前記記録位置情報は前記トラックにおいて前記高速再生用画像データが記録される同期ブロックの番号を示す同期ブロック番号情報を含むことを特徴とする請求項５〜７記載の記録装置。
【請求項９】
テープ状記録媒体に対して多数のトラックを形成して動画像データ列を記録する装置であって、
フレーム内符号化とフレーム間符号化とを用いて動画像データを符号化し通常再生用の動画像データを生成する通常データ生成手段と、
前記通常再生用の動画像データに対応した高速再生用の画像データを生成する高速再生データ生成手段と、
高速再生時において再生ヘッドが前記テープ状記録媒体を走査する走査位置に従い前記高速再生用の画像データを記録する記録トラックと前記高速再生用画像データの記録位置とを決定すると共に記録停止時における前記記録トラックを示す記録トラック情報と前記記録位置を示す記録位置情報とを記憶手段に格納する記録位置決定手段と、
前記記録位置決定手段により決定された記録位置に前記高速再生用の画像データが記録されるよう前記通常再生用の動画像データと前記高速再生用の画像データとを多重して前記動画像データ列を生成する多重手段と、
前記多重手段より出力された動画像データ列を前記テープ状記録媒体上に記録する記録手段と、
前記記憶手段に格納された記録トラック情報と前記記録位置情報とに基づいて前記記録停止後に新たに記録する動画像データ列における前記高速再生用の画像データの記録位置を決定するよう前記記録位置決定手段を制御する制御手段とを備える記録装置。
【請求項１０】
フレーム内符号化とフレーム間符号化とを用いて符号化された通常再生用の動画像データと高速再生用の画像データとが多重された動画像データ列が記録されている多数のトラックが形成されたテープ状記録媒体に対し、新たに前記動画像データ列を記録する装置であって、
前記通常再生用の動画像データを生成する通常データ生成手段と、
前記高速再生用の画像データを生成する高速再生データ生成手段と、
高速再生時において再生ヘッドが前記テープ状記録媒体を走査する走査位置に従い前記高速再生用画像データの記録位置を決定する記録位置決定手段と、
前記記録位置決定手段により決定された記録位置に前記高速再生用の画像データが記録されるよう前記通常再生用の動画像データと前記高速再生用の画像データとを多重して前記動画像データ列を生成する多重手段と、
前記多重手段より出力された動画像データ列を前記テープ状記録媒体上に記録する記録手段と、
前記新たな動画像データ列の記録開始位置の直前に記録されている前記高速再生用画像データの記録位置を検出し、前記検出した記録位置に基づいて前記新たな動画像データ列における前記高速再生用の画像データの記録位置を決定するよう前記記録位置決定手段を制御する制御手段とを備える記録装置。
【請求項１１】
前記制御手段は前記テープ状記録媒体から再生された動画像データ列に基づいて前記記録開始位置の直前のトラック番号と前記トラックにおける前記高速再生用画像データの記録位置とを検出し、前記検出したトラック番号と記録位置を示す情報を前記記録位置決定手段に出力することを特徴とする請求項１０記載の記録装置。
【発明の詳細な説明】
【０００１】
【発明の属する技術分野】
本発明は記録装置に関し、特に符号化された画像データをテープ状記録媒体に対して記録する装置に関する。
【０００２】
【従来の技術】
従来、画像データを符号化して磁気テープに記録再生するデジタルＶＴＲが知られている。また、近年では、画像データをＭＰＥＧ方式などのフレーム間符号化方式を用いて符号化し、磁気テープに記録再生する装置も知られている。
【０００３】
この種の装置が特開平９−２１４８８９号公報に記載されている。
【０００４】
ＭＰＥＧ方式では、画像データのフレーム間の差分を符号化しているため、この差分データだけでは復号することができず、復号するために参照用のフレームの画像データが必要となる。
【０００５】
ＭＰＥＧ符号化された画像データでは各フレームのデータ量がまちまちであるため、磁気テープ上での各フレームのデータの記録位置も一定ではない。そのため、このようにＭＰＥＧ符号化されて記録された画像データを高速再生する場合、磁気ヘッドはテープ上のトラックを正確に走査することができないので、テープ上に記録されたデータを全て再生することができず、離散的に再生されることになる。
【０００６】
そのため、フレーム間符号化された差分データと参照用フレームのデータとが共に得られる可能性が非常に低くなり、高速再生時にはフレーム内符号化されたフレームの画像データのみが復号可能となり、良好な再生画像を得ることが困難になる。
【０００７】
そこで、前記の公知文献では、通常の符号化画像データとは別に、フレーム内符号化された画像データのみを用いて高速再生用の画像データを生成し、この高速再生用の画像データを、各トラック上で高速再生時にヘッドが走査する位置に記録することで、高速再生時においても良好な再生画像を得ることが考えられている。
【０００８】
【特許文献１】
特開平９−２１４８８９号公報
【０００９】
【発明が解決しようとする課題】
前述の様に、高速再生用の画像データの記録位置は高速再生時のヘッドの走査位置に応じて各トラック間で異なっている。
【００１０】
しかし、従来では、既に画像データが記録されている磁気テープに対し引き続いて画像データを記録する、所謂つなぎ撮りを行う場合、つなぎ撮り前後での高速再生用の画像データの記録位置について全く考慮していないため、高速再生時につなぎ撮り前後で高速再生用の画像データの記録位置が連続しておらず、再生画像が乱れるという問題がある。
【００１１】
本発明はこの様な問題を解決することを目的とする。
【００１２】
本発明の他の目的は、つなぎ撮り前後での高速再生画像の乱れを防止する処にある。
【００１３】
【課題を解決するための手段】
前述の課題を解決するため、本発明においては、フレーム内符号化とフレーム間符号化とを用いて符号化された通常再生用の動画像データと高速再生用の画像データとが多重された動画像データ列が記録されている多数のトラックが形成されたテープ状記録媒体に対し、新たに前記動画像データ列を記録する装置であって、前記通常再生用の動画像データを生成する通常データ生成手段と、前記高速再生用の画像データを生成する高速再生データ生成手段と、前記高速再生用の画像データがトラック毎に決められた所定の位置に記録されるよう、前記通常データ生成手段により生成された通常再生用の動画像データと前記高速再生データ生成手段により生成された特殊再生用の画像データとを多重して前記動画像データ列を生成する多重手段と、前記多重手段より出力された動画像データ列を前記テープ状記録媒体上に記録する記録手段と、前記新たな動画像データ列の記録開始位置の直前に記録されている前記高速再生用画像データの記録位置に応じた位置に前記新たな動画像データ列における高速再生用の画像データが記録されるよう前記多重手段を制御する制御手段とを備える構成とした。
【００１４】
【発明の実施の形態】
以下、本発明の実施形態について説明する。
【００１５】
図１は本実施形態に係る記録装置の構成を示すブロック図である。
【００１６】
図１において、まず、通常の記録時の処理について説明する。ユーザが操作スイッチ部１１０を操作して記録開始を指示すると、制御部１０９は符号化部１０２による符号化処理を開始する。符号化部１０２は入力端子１０１から入力した動画像データをＭＰＥＧ方式に従い符号化し、多重化部１０３及び特殊再生用データ生成部１０６に出力する。
【００１７】
ＭＰＥＧでは、フレーム内符号化、前方予測符号化及び双方向予測符号化を用いて動画像データを符号化する。例えば、図２の上段に示すフレームＦ−２、Ｆ−１・・・Ｆ１５の順に入力した動画像データ列を符号化し、下段に示す様にＩフレーム（フレーム内符号化フレーム）、Ｐフレーム（前方予測符号化フレーム）、Ｂフレーム（双方向予測符号化フレーム）として出力する。
【００１８】
特殊再生用データ生成部１０６では、この様に符号化部１０２から出力された動画像データ中のＩフレームを高速再生時の再生速度に対応した所定の間隔で抽出し、このＩフレームの符号化画像データを用いて高速再生用の画像データを生成する。そして、この高速再生用の画像データを多重化部１０３に出力する。
【００１９】
次に、記録位置決定部１０７では、テープＴ上に形成する多数のトラックのうち、ｎ倍速及び−ｎ倍速で高速再生した際にヘッドが走査するトラック｛Ｒｍ｝（ｍ＝０〜Ｍ）を算出する。本形態では、テープの先頭より各トラックにテープＴ上でのトラックの位置を示すトラック番号情報を付加して記録しており、このトラック番号Ｔａと高速再生時の倍速ｎとから、以下の式により高速再生用の画像データを記録するトラック番号Ｒｍを算出する。
【００２０】
Ｒｍ＝Ｔａ  ｍｏｄ  （ｎ×２）
更に、トラックＲｍ上で高速再生用の画像データを記録する記録位置｛Ｗｋ｝（ｋ＝０〜Ｋ）を決定する。本形態では、所定量の画像データに対して同期データを付加して多数の同期ブロックに分割し、テープＴの各トラックに対して記録しており、｛Ｗｋ｝は高速再生用の画像データを記録するべき同期ブロック番号の集まりである。
【００２１】
記録位置決定部１０７はこの様に決定したトラックＲｍの情報と、記録位置Ｗｋの情報を多重化部１０３に出力する。
【００２２】
多重化部１０３は、記録位置決定部１０７により決定されたトラックＲｍにおける記録位置Ｗｋに高速再生用の画像データが記録されるよう、符号化部１０２からの通常再生用の動画像データに対して特殊再生用データ生成部１０６からの高速再生用画像データを多重し、記録処理部１０４に出力する。
【００２３】
記録処理部１０４は多重化部１０３から出力された動画像データに対して同期、ＩＤデータなどを付加すると共にエラー訂正符号化処理など記録のために必要な処理を施し、記録部１０５に出力する。記録部１０５は回転磁気ヘッドによりテープＴを走査して多数のトラックを形成し、各トラック上に記録処理部１０４から出力された動画像データ列を順次記録する。
【００２４】
この結果、図３に示した様に、テープＴ上に通常再生用の画像データと高速再生用の画像データとが記録される。図３より明らかなように、高速再生用の画像データはｎ倍速、−ｎ倍速での再生時にヘッドが走査する位置に記録される。
【００２５】
次に、記録を一時停止し、その後引き続いて画像データを記録する際の処理について説明する。
【００２６】
前述の様に動画像データをテープＴに記録している最中に操作スイッチ部１１０により記録ポーズの指示があると、制御部１０９は符号化部１０２、特殊再生用データ生成部１０６の動作を停止すると共に、記録位置決定部１０７に対して記録ポーズを指示する。記録位置決定部１０７はこの記録ポーズの指示に従い、記録ポーズの指示があった時点での高速再生用データの記録トラック情報Ｒｍと記録位置情報Ｗｋ、及びトラック番号情報を記録位置記憶部１０８に格納する。
【００２７】
そして、記録部１０５は画像データの記録を停止する。
【００２８】
この状態で、操作スイッチ部１１０より再び記録開始の指示があると、制御部１０９は前述の様に符号化部１０２、特殊再生用データ生成部１０６を制御して通常再生用の画像データと高速再生用の画像データを多重化部１０３に出力する。
【００２９】
制御部１０９はまた、記録位置決定部１０７に対し、記録再開を指示する。
【００３０】
記録位置決定部１０７は、記録再開の指示に従い、記録位置記憶部１０８に格納していた、前回の記録ポーズ時における記録トラック情報Ｒｍと記録位置情報Ｗｋ、及びトラック番号情報を読み出す。そして、記録再開後の先頭のトラック番号と前回の記録ポーズ時の最後のトラック番号とが連続していることを確認し、記録再開後のトラックに記録される高速再生用の画像データの記録位置と記録ポーズ直前のトラックに記録されていた画像データとの連続性を保つよう、記録位置記憶部１０８から読み出した記録トラック情報Ｒｍと記録位置情報Ｗｋ、及びトラック番号情報に基づいて多重化部１０３による高速再生用の画像データの多重タイミングを決定する。
【００３１】
多重化部１０３では、記録位置決定部１０７により決定されたタイミングに従って符号化部１０２からの画像データと特殊再生用データ生成部１０６からの高速再生用画像データとを多重し、記録処理部１０４に出力する。この後の処理は前述のとおりである。
【００３２】
この結果、例えば、図４のＡ−Ｂの位置で記録をポーズし、この後に続けて記録を再開する場合にも、記録ポーズの前後で高速再生用の画像データの記録位置の連続性を保つことができる。
【００３３】
そのため高速再生時においても、このポーズ位置の前後で再生画像が乱れることがない。
【００３４】
次に、本発明の第２の実施形態について説明する。
【００３５】
図５は本形態における記録装置の構成を示す図であり、図１と同様の構成については同一番号を付して説明する。
【００３６】
まず、通常の記録動作については、第１の実施形態にて説明した通りであり、多重化部１０３にて生成された動画像データが記録処理部１０４にて処理され、記録再生部１１１に出力される。記録再生部１１１は図１の記録部１０５と同様に回転ヘッドによりテープＴ上に多数のトラックを形成し、画像データを記録する。
【００３７】
次に、再生時の動作について説明する。
【００３８】
通常の再生を行う場合、制御部１０９は搬送部１１５を制御し、記録時と同じ速度にてテープＴを搬送し、記録再生部１１１は回転ヘッドによりテープＴから画像データを再生し、再生処理部１１２に出力する。再生処理部１１２は再生された画像データに対してエラー訂正処理などの処理を施し、通常再生用の動画像データと高速再生用の画像データとが多重された状態で画像データを復号部１１３に出力する。また、再生処理部１１２は、再生された動画像データの各同期ブロックに付加されている同期ブロック番号情報を検出すると共に、各トラックに記録されている付加情報からトラック番号情報を検出し、記録位置決定部１０７に出力する。
【００３９】
復号部１１３は再生処理部１１２から出力された画像データを復号し、出力端子１１４に出力する。復号部１１３はこのとき、制御部１０９により通常再生の指示がある場合は再生された動画像データ列のうち通常再生用の画像データを復号して出力し、高速再生の指示がある場合には高速再生用の画像データを復号して出力する。
【００４０】
高速再生を行う場合、制御部１０９は通常再生時のｎ倍の速度にてテープＴを搬送し、記録再生部１１１は図３の様に記録された高速再生用の画像データを再生して再生処理部１１２に出力する。
【００４１】
さて、本形態においても、記録中に記録ポーズの指示を行い、その後引き続いて記録を再開する際の処理については、第１の実施形態と同様である。
【００４２】
次に、本形態において、電源投入後に新たに記録を開始する場合、あるいは、テープを新たに装着して記録を開始する場合の処理について説明する。
【００４３】
制御部１０９は、電源投入、あるいはテープの装着に応じて記録再生部１１１と搬送部１１５を制御し、電源投入時あるいはテープ装着時のテープ位置のトラック番号情報再生データ中から検出すると共に、所定トラック数だけ巻き戻し、元のテープ位置まで再生して一時停止する。再生処理部１１２再生されたデータからは元のテープ位置の直前のトラック番号情報Ｔｐ、及び、高速再生用の画像データが記録されている同期ブロック番号Ｗｐを検出し、記録位置決定部１０７に出力する。
【００４４】
記録位置決定部１０７は再生処理部１１２から供給されたトラック番号情報Ｔｐと同期ブロック番号Ｗｐに基づき、第１の実施形態と同様に高速再生用の画像データを記録するトラック｛Ｒｍ｝とそのトラックＲｍにおける記録位置｛Ｗｋ｝とを決定し、多重化部１０３に対してこのトラックＲｍと記録位置Ｗｋの情報を出力する。
【００４５】
多重化部１０３は、記録開始が指示され、符号化部１０２と特殊再生用データ生成部１０６からそれぞれ画像データが供給されると、記録位置決定部１０７により決定されたトラックＲｍにおける記録位置Ｗｋに高速再生用の画像データが記録されるよう、符号化部１０２からの通常再生用の動画像データに対して特殊再生用データ生成部１０６からの高速再生用画像データを多重し、記録処理部１０４に出力する。
【００４６】
このように、本形態においては、電源投入時、あるいは、テープＴの装着後に記録を開始する際、記録開始位置の直前のトラックのトラック番号、及びそのトラックに記録されている高速再生用の画像データの記録位置を検出し、これらのトラック番号と記録位置情報とに基づいて記録開始トラックにおける高速再生用画像データの記録位置を決定することで、記録開始位置の直前に記録されていた高速再生用画像データの記録位置と記録開始後の高速再生用画像データの記録位置との間で連続性を保つことができる。
【００４７】
そのため、電源を投入して記録を開始する場合、或いは、新たにテープを装着して引き続き画像データを記録する、所謂つなぎ撮りを行った場合でも、つなぎ取り前後で高速再生時の再生画像が乱れることが無くなる。
【００４８】
【発明の効果】
以上説明した様に、本発明によれば、高速再生時において、既に記録されていた画像データと新たに記録した画像データとの間で再生画像が乱れることを防止することができる。
【図面の簡単な説明】
【図１】本発明を適用した記録装置の構成を示す図である。
【図２】画像データの符号化の様子を示す図である。
【図３】テープ上の記録データの様子を示す図である。
【図４】本発明を適用した記録装置の構成を示す図である。
【図５】本発明を適用した記録装置の他の構成を示す図である。
【図１】
2004241988.tif 000003
【図２】
2004241988.tif 000004
【図３】
2004241988.tif 000005
【図４】
2004241988.tif 000006
【図５】
2004241988.tif 000007